(57)【要約】  このエネルギーシステム最適化プログラムは、コンピュータに所定のステップの処理を行わせるエネルギーシステム最適化プログラムであって、前記ステップは、エネルギーシステムを構成する複数種類のエネルギー設備を指定する入力ステップと、所定の需要を満足する前記エネルギーシステムのシステム構成及び運転パターンの少なくともいずれか一方のうち、所定の指標が最小となる最適システム構成及び最適運転パターンの少なくともいずれか一方を求める計算ステップと、前記最適システム構成及び前記最適運転パターンの少なくとも前記一方を出力する出力ステップとを有する。
2020004454.tif 000002
【特許請求の範囲】
【請求項１】
コンピュータに所定のステップの処理を行わせるエネルギーシステム最適化プログラムであって、
前記ステップは、
エネルギーシステムを構成する複数種類のエネルギー設備を指定する入力ステップと、
所定の需要を満足する前記エネルギーシステムのシステム構成及び運転パターンの少なくともいずれか一方のうち、所定の指標が最小となる最適システム構成及び最適運転パターンの少なくともいずれか一方を求める計算ステップと、
前記最適システム構成及び前記最適運転パターンの少なくとも前記一方を出力する出力ステップと
を有するエネルギーシステム最適化プログラム。
【請求項２】
前記計算ステップでは、前記指標の最小を示す目的関数と所定の制約条件とを含む最適化問題を解くことにより前記最適運転パターンを求め、
前記入力ステップでは、前記目的関数及び前記制約条件を指定する
請求項１に記載のエネルギーシステム最適化プログラム。
【請求項３】
前記指標としてシステムコストを用いる請求項２に記載のエネルギーシステム最適化プログラム。
【請求項４】
前記システムコストは、前記エネルギーシステムのイニシャルコストとランニングコストとの重み付け和である請求項３に記載のエネルギーシステム最適化プログラム。
【請求項５】
前記ランニングコストは、前記エネルギーシステムのメンテナンスコストと、前記エネルギーシステムに入力される入力資源及び前記エネルギーシステムから出力される出力資源の少なくとも一方に関するリソースコストと、の重み付け和である請求項４に記載のエネルギーシステム最適化プログラム。
【請求項６】
前記制約条件は、前記エネルギーシステムに入力される資源の入力量Ｕ、前記エネルギー設備が生成する資源の生成量Ｇ、前記エネルギー設備が消費する資源の消費量Ｓ、前記エネルギーシステムに対する資源の需要量Ｊ及び前記エネルギーシステムの外部への資源の出力量Ｏからなる以下の式（１）を含む請求項２〜５のいずれか一項に記載のエネルギーシステム最適化プログラム。
【数１】
2020004454.tif 000039
【請求項７】
前記入力ステップでは、予め登録されたエネルギー設備を選択することと、新たな前記エネルギー設備の消費資源及び生成資源並びに前記消費資源及び前記生成資源に関する特性値を設定することと、の少なくともいずれか一方を行うことによって、前記エネルギー設備を指定する請求項１〜６のいずれか一項に記載のエネルギーシステム最適化プログラム。
【請求項８】
前記入力ステップでは、前記予め登録されたエネルギー設備の前記特性値が変更可能である請求項７に記載のエネルギーシステム最適化プログラム。
【請求項９】
前記出力ステップでは、前記エネルギー設備の所定期間かつ当該所定期間内における複数の単位期間について、前記エネルギーシステムに入力される資源及び前記エネルギーシステムに対する需要の時間変化を出力し、
前記入力ステップでは、前記所定期間及び前記単位期間をさらに入力する請求項１〜８のいずれか一項に記載のエネルギーシステム最適化プログラム。
【請求項１０】
前記出力ステップでは、前記入力ステップで指定された前記複数種類のエネルギー設備のうち、前記最適システム構成に含まれるエネルギー設備と前記最適システム構成に含まれないエネルギー設備とを異なる態様で出力する請求項１〜９のいずれか一項に記載のエネルギーシステム最適化プログラム。
【請求項１１】
前記出力ステップでは、前記需要に対するシャドープライスをさらに出力する請求項１〜１０のいずれか一項に記載のエネルギーシステム最適化プログラム。
【請求項１２】
前記入力ステップでは、種々の形態のエネルギーを発生させるエネルギー発生設備と、ある形態のエネルギーを他の形態のエネルギーに変換するエネルギー変換設備と、外部から供給されるエネルギーを内部に貯め込むエネルギー貯蔵設備とのうち２種類以上を指定する請求項１〜１１のいずれか一項に記載のエネルギーシステム最適化プログラム。
【請求項１３】
エネルギーシステムを構成する複数種類のエネルギー設備を指定する入力工程と、
所定の需要を満足する前記エネルギーシステムのシステム構成及び運転パターンの少なくともいずれか一方のうち、所定の指標が最小となる最適システム構成及び最適運転パターンの少なくともいずれか一方を求める計算工程と、
前記最適システム構成及び前記最適運転パターンの少なくとも前記一方を出力する出力工程と
を有するエネルギーシステム最適化方法。
【請求項１４】
エネルギーシステムを構成する複数種類のエネルギー設備を指定する入力部と、
所定の需要を満足する前記エネルギーシステムのシステム構成及び運転パターンの少なくともいずれか一方のうち、所定の指標が最小となる最適システム構成及び最適運転パターンの少なくともいずれか一方を求める計算部と、
前記最適システム構成及び前記最適運転パターンの少なくとも前記一方を出力する出力部と
を備えるエネルギーシステム最適化装置。
【発明の詳細な説明】
【技術分野】
【０００１】
本開示は、エネルギーシステム最適化プログラム、エネルギーシステム最適化方法及びエネルギーシステム最適化装置に関する。
本願は、２０１８年６月２６日に米国に出願された米国仮出願６２／６８９，８５３号に基づき優先権を主張し、その内容をここに援用する。
【背景技術】
【０００２】
下記特許文献１には、コンピュータを用いたエネルギー貯蔵システムにおけるエネルギー貯蔵設備の充放電制御方法と、上記エネルギー貯蔵設備の充放電制御をコンピュータに実行させる実行コードが格納されたコンピュータに読取り可能な記録媒体と、上記エネルギー貯蔵設備の充放電制御システムとが開示されている。この背景技術は、コンピュータを用いることにより、履歴データと予測データ、第１、第２の物理モデル、経済的なインセンティブ情報、エネルギー貯蔵システムの拘束条件、エネルギー貯蔵システムの構成、コストモデル等に基づいてエネルギー貯蔵の経済的な価値を最大化し得るエネルギー貯蔵設備の充放電戦略を求めることを目的としている。
【特許文献１】米国特許第９５０９１７６号明細書
【発明の概要】
【発明が解決しようとする課題】
【０００３】
ところで、エネルギーシステムを構成するエネルギー設備には、上記エネルギー貯蔵設備の他に様々な種類の設備、例えば各種形態の発電設備や水電解装置のようなエネルギー変換設備がある。エネルギーシステムは、このような様々な種類のエネルギー設備が複合されて運用されることが多い。しかしながら、上記背景技術は、エネルギー貯蔵設備のみを取扱っており、複数種類のエネルギー設備を含むエネルギーシステムを取扱うことを想定していない。【０００４】
本開示は、上述した事情に鑑みてなされたものであり、複数種類のエネルギー設備を含むエネルギーシステムを取扱うことが可能なエネルギーシステム最適化技術の提供を目的とする。
【課題を解決するための手段】
【０００５】
上記目的を達成するために、本開示の第１態様に係るエネルギーシステム最適化プログラムは、コンピュータに所定のステップの処理を行わせるエネルギーシステム最適化プログラムであって、前記ステップは、エネルギーシステムを構成する複数種類のエネルギー設備を指定する入力ステップと、所定の需要を満足する前記エネルギーシステムのシステム構成及び運転パターンの少なくともいずれか一方のうち、所定の指標が最小となる最適システム構成及び最適運転パターンの少なくともいずれか一方を求める計算ステップと、前記最適システム構成及び前記最適運転パターンの少なくとも前記一方を出力する出力ステップとを有する。【０００６】
本開示の第２態様に係るエネルギーシステム最適化プログラムは、上記第１態様において、前記計算ステップでは、前記指標の最小を示す目的関数と所定の制約条件とを含む最適化問題を解くことにより前記最適運転パターンを求め、前記入力ステップでは、前記目的関数及び前記制約条件を指定する。【０００７】
本開示の第３態様に係るエネルギーシステム最適化プログラムは、上記第２態様において、前記指標としてシステムコストを用いる。【０００８】
本開示の第４態様に係るエネルギーシステム最適化プログラムは、上記第３態様において、前記システムコストは、前記エネルギーシステムのイニシャルコストとランニングコストとの重み付け和である。【０００９】
本開示の第５態様に係るエネルギーシステム最適化プログラムは、上記第４態様において、前記ランニングコストは、前記エネルギーシステムのメンテナンスコストと、前記エネルギーシステムに入力される入力資源及び前記エネルギーシステムから出力される出力資源の少なくとも一方に関するリソースコストと、の重み付け和である。【００１０】
本開示の第６態様に係るエネルギーシステム最適化プログラムは、上記第２態様〜第５態様のいずれか１つにおいて、前記制約条件は、前記エネルギーシステムに入力される資源の入力量Ｕ、前記エネルギー設備が生成する資源の生成量Ｇ、前記エネルギー設備が消費する資源の消費量Ｓ、前記エネルギーシステムに対する資源の需要量Ｊ及び前記エネルギーシステムの外部への資源の出力量Ｏからなる以下の式（１）を含む。【００１１】
【数１】
2020004454.tif 000003
【００１２】
本開示の第７態様に係るエネルギーシステム最適化プログラムは、上記第１態様〜第６態様のいずれか１つにおいて、前記入力ステップでは、予め登録されたエネルギー設備を選択することと、新たな前記エネルギー設備の消費資源及び生成資源並びに前記消費資源及び前記生成資源に関する特性値を設定することと、の少なくともいずれか一方を行うことによって、前記エネルギー設備を指定する。【００１３】
本開示の第８態様に係るエネルギーシステム最適化プログラムは、上記第７態様において、前記入力ステップでは、前記予め登録されたエネルギー設備の前記特性値が変更可能である。【００１４】
本開示の第９態様に係るエネルギーシステム最適化プログラムは、上記第１態様〜第８態様のいずれか１つにおいて、前記出力ステップでは、前記エネルギー設備の所定期間かつ当該所定期間内における複数の単位期間について、前記エネルギーシステムに入力される資源及び前記エネルギーシステムに対する需要の時間変化を出力し、前記入力ステップでは、前記所定期間及び前記単位期間をさらに入力する。【００１５】
本開示の第１０態様に係るエネルギーシステム最適化プログラムは、上記第１態様〜第９態様のいずれか１つにおいて、前記出力ステップでは、前記入力ステップで指定された前記複数種類のエネルギー設備のうち、前記最適システム構成に含まれるエネルギー設備と前記最適システム構成に含まれないエネルギー設備とを異なる態様で出力する。【００１６】
本開示の第１１態様に係るエネルギーシステム最適化プログラムは、上記第１態様〜第１０態様のいずれか１つにおいて、前記出力ステップでは、前記需要に対するシャドープライスをさらに出力する。【００１７】
本開示の第１２態様に係るエネルギーシステム最適化プログラムは、上記第１態様〜第１１態様のいずれか１つにおいて、前記入力ステップでは、種々の形態のエネルギーを発生させるエネルギー発生設備と、ある形態のエネルギーを他の形態のエネルギーに変換するエネルギー変換設備と、外部から供給されるエネルギーを内部に貯め込むエネルギー貯蔵設備とのうち２種類以上を指定する。【００１８】
本開示の第１３態様に係るエネルギーシステム最適化方法は、エネルギーシステムを構成する複数種類のエネルギー設備を指定する入力工程と、所定の需要を満足する前記エネルギーシステムのシステム構成及び運転パターンの少なくともいずれか一方のうち、所定の指標が最小となる最適システム構成及び最適運転パターンの少なくともいずれか一方を求める計算工程と、前記最適システム構成及び前記最適運転パターンの少なくとも前記一方を出力する出力工程とを有する。【００１９】
本開示の第１４態様に係るエネルギーシステム最適化装置は、ネルギーシステムを構成する複数種類のエネルギー設備を指定する入力部と、所定の需要を満足する前記エネルギーシステムのシステム構成及び運転パターンの少なくともいずれか一方のうち、所定の指標が最小となる最適システム構成及び最適運転パターンの少なくともいずれか一方を求める計算部と、前記最適システム構成及び前記最適運転パターンの少なくとも前記一方を出力する出力部とを備える。
【発明の効果】
【００２０】
本開示によれば、複数種類のエネルギー設備を含むエネルギーシステムを取扱うことが可能なエネルギーシステム最適化技術を提供することが可能である。
【図面の簡単な説明】
【００２１】
【図１】本開示の一実施形態に係るエネルギーシステム最適化システムの構成を示すブロック図である。
【図２】本開示の一実施形態におけるエネルギーシステムを示す模式図である。
【図３】本開示の一実施形態におけるエネルギー設備を示す模式図である。
【図４】本開示の一実施形態に係るエネルギーシステム最適化システムの基本動作を示すフローチャートである。
【図５Ａ】本開示の一実施形態におけるエネルギー設備の第１の指定画面を示す模式図である。
【図５Ｂ】本開示の一実施形態におけるエネルギー設備の第２の指定画面を示す模式図である。
【図６】本開示の一実施形態における計算条件の入力画面を示す模式図である。
【図７】本開示の一実施形態におけるシステムコスト（総コスト）を示す模式図である。
【図８】本開示の一実施形態におけるエネルギーシステムのリソースバランスを示す模式図である。
【図９】本開示の一実施形態における最適システム構成の一例を示す模式図である。
【図１０】本開示の一実施形態における最適運転パターンの一例を示す模式図である。
【発明を実施するための形態】
【００２２】
以下、図面を参照して、本開示の一実施形態について説明する。
本実施形態は、ネットワークを用いた会員への情報提供サービスとして本開示を実現する場合に関し、図１に示すエネルギーシステム最適化システムによって構成される。
【００２３】
このエネルギーシステム最適化システムは、複数種類のエネルギー設備を含むエネルギーシステムを最適化の対象とする。上記エネルギー設備は例えば３つの形態に分類することができる。第１の種類は、種々の形態のエネルギーを発生させるエネルギー発生設備（Renewable）である。
【００２４】
また、第２の種類は、ある形態のエネルギーを他の形態のエネルギーに変換するエネルギー変換設備（Converter）である。さらに、第３の種類は、外部から供給されたエネルギーを内部に貯め込むエネルギー貯蔵設備（Storage）である。最適化対象のエネルギーシステムは、これら複数種類のエネルギー設備のうち、少なくとも２種類以上を含む。
【００２５】
上記エネルギー発生設備は、火力発電、原子力発電、風力発電及び太陽光発電等の各種発電設備である。また、エネルギー変換設備は、水電解設備やガスコージェネレーション設備のように電力（電気エネルギー）や燃料ガス（化学エネルギー）を用いて水素（化学エネルギー）や湯（熱エネルギー）等を発生させる設備である。さらに、エネルギー貯蔵設備は、電力（電気エネルギー）をそのまま蓄える各種の蓄電池、電力（電気エネルギー）を運動エネルギーに変換して蓄えるフライホイール等である。
【００２６】
図２は、エネルギーシステムＡの構成例を示している。このエネルギーシステムＡは、風力発電設備ａ１（エネルギー発生設備：Renewable）、水電解設備ａ２（エネルギー変換設備：Converter）、ガスコージェネレーション設備ａ３（エネルギー変換設備：Converter）、太陽発電設設備ａ４（エネルギー発生設備：Renewable）及び蓄電設備ａ５（エネルギー貯蔵設備：Storage）を備えている。
【００２７】
以下の説明では、このようなエネルギーシステムＡの構成要素である風力発電設備ａ１（エネルギー発生設備：Renewable）、水電解設備ａ２（エネルギー変換設備：Converter）、ガスコージェネレーション設備ａ３（エネルギー変換設備：Converter）、太陽発電設設備ａ４（エネルギー発生設備：Renewable）及び蓄電設備ａ５（エネルギー貯蔵設備：Storage）を総称してエネルギー設備ａという。エネルギー設備ａは、所定の資源の消費及び所定の資源を生成の少なくとも一方を行う設備である。
【００２８】
なお、本開示は、外部と基本的に通信しない１台のコンピュータ（スタンドアローン・コンピュータ）に本開示に係るエネルギーシステム最適化プログラムをインストールすることによって実現することも可能である。このコンピュータは、ＣＰＵ（中央処理装置、プロセッサ）、記憶装置、及び入出力装置等を備える。記憶装置は、ＲＡＭ（Random Access Memory）等の揮発性メモリ、ＲＯＭ（Read Only Memory）等の不揮発性メモリ、ＨＤＤ（Hard Disk Drive）、及びＳＳＤ（Solid State Drive）等のうちの１以上を含む。入出力装置は、有線又は無線で外部の入力機器及び出力機器と信号やデータのやり取りを行う。入力機器としては、キーボードやマウス、タッチパネル等が挙げられる。出力機器としては、ディスプレイやプリンタ等が挙げられる。コンピュータは、記憶装置に保存されたプログラムに基づいて後述する所定の機能を果たすことができる。
【００２９】
しかしながら、本実施形態に係るエネルギーシステム最適化システムは、より多くのユーザにより低価格で本開示の恩恵を提供するために、エネルギーシステム最適化プログラムの機能をネットワーク上における複数の情報通信装置に分散搭載することにより、本開示の恩恵をネットワークにおける１つの情報提供サービスとしてユーザに提供する。
【００３０】
このようなエネルギーシステム最適化システムは、図１に示すように、上記ネットワークに相当する通信網１、並びに上記複数の情報通信装置に相当する複数のクライアント端末２、中継サーバ３、エネルギー設備データベース４及び最適化計算装置５を備えている。このエネルギーシステム最適化システムは、本開示に係るエネルギーシステム最適化装置に相当する。
【００３１】
また、上記各構成要素のうち、通信網１、複数のクライアント端末２及び中継サーバ３は、本開示に係るエネルギーシステム最適化装置の入力部及び出力部を構成している。すなわち、通信網１、複数のクライアント端末２及び中継サーバ３は、本開示に係るエネルギーシステム最適化プログラムにおける入力ステップ及び出力ステップを実行する構成要素であり、また本開示に係るエネルギーシステム最適化方法における入力工程及び出力工程を実行する構成要素でもある。
【００３２】
さらに、本実施形態における最適化計算装置５は、本開示に係るエネルギーシステム最適化装置の計算部に相当する。すなわち、最適化計算装置５は、本開示に係るエネルギーシステム最適化プログラムにおける計算ステップを実行する構成要素であり、また本開示に係るエネルギーシステム最適化方法における計算工程を実行する構成要素でもある。
【００３３】
ここで、本開示に係るエネルギーシステム最適化プログラムは、コンピュータに所定のステップの処理を行わせるプログラムであり、詳細については後述するが、上記ステップは入力ステップ、計算ステップ及び出力ステップを有する。
【００３４】
本実施形態では、このようなエネルギーシステム最適化プログラムにおいて入力ステップ、計算ステップ及び出力ステップに各々対応する３つの要素プログラム、つまり入力プログラム、計算プログラム及び出力プログラムは、入力プログラムと出力プログラムとが１つのプログラムモジュール（第１モジュール）として作成されて所定の記録媒体に記憶される。また、計算プログラムは、上記プログラムモジュールとは異なるプログラムモジュール（第２モジュール）として作成されて所定の記録媒体に記憶される。
【００３５】
上記記録媒体は、パッケージ形態は特に限定されないが、例えばＵＳＢメモリあるいは各種のメモリーカードである。また、本開示に係るエネルギーシステム最適化プログラムについては、提供元となるファイルサーバからダウンロードされてコンピュータにインストールされる提供態様が考えられる。本実施形態における記録媒体は、エネルギーシステム最適化プログラムが記憶されているファイルサーバの記憶領域をも含む概念である。すなわち、本実施形態の記録媒体は、プログラムを記憶し非一時的にコンピュータで読み取り可能な有形の媒体である。
【００３６】
なお、本開示に係るエネルギーシステム最適化プログラムをスタンドアローン・コンピュータにインストールして本開示に係るエネルギーシステム最適化装置を構成する場合、エネルギーシステム最適化プログラムは、単一のプログラムモジュールとして構成されて当該コンピュータにおける所定の記憶領域に記憶される。
【００３７】
通信網１は、所定の通信プロトコルに準拠した通信パケットを伝送する有線及び無線のうち少なくともいずれか一方の情報通信網であり、典型的には複数のコンピュータネットワークが相互接続されたインターネットである。なお、この通信網１については、単一の事業体が運営するイントラネットであってもよい。
【００３８】
このような通信網１には、複数のクライアント端末２、中継サーバ３、エネルギー設備データベース４及び最適化計算装置５が電気的に接続されている。この通信網１は、複数のクライアント端末２、中継サーバ３、エネルギー設備データベース４及び最適化計算装置５間の情報通信を可能にする有線及び無線の少なくともいずれか一方の通信媒体である。
【００３９】
複数のクライアント端末２は、中継サーバ３から情報提供サービスを受ける個々のユーザが各々管理する通信端末である。各クライアント端末２は、各々のユーザが管理する通信端末であり、各々のユーザの情報提供要求及び最適化計算装置５が必要とする演算条件等を通信網１を介して中継サーバ３に送信する。各クライアント端末２は、ＣＰＵ、記憶装置、及び入出力装置等を備える。
【００４０】
また、各クライアント端末２は、上記情報提供要求に対する回答情報を通信網１を介して中継サーバ３から受信する。このような複数のクライアント端末２は、据置型のデスクトップＰＣ（パーソナル・コンピュータ）、可搬型のノートＰＣ及びタブレット端末等のうちの１以上を含む。
【００４１】
中継サーバ３は、エネルギーシステム最適化システムを運営する事業者が管理する通信サーバであり、上述した第１モジュールがインストールされることにより、上述した入力ステップ及び出力ステップを実行するコンピュータである。この中継サーバ３は、上記情報提供要求等を通信網１を介してクライアント端末２から受信すると共に、最適化計算装置５から取得した上記回答情報を通信網１を介してクライアント端末２に送信する。
【００４２】
このような中継サーバ３は、複数のクライアント端末２と最適化計算装置５との間の情報中継を行う情報通信装置である。すなわち、本実施形態に係るエネルギーシステム最適化システムは、本開示に係るエネルギーシステム最適化装置が有する３つの機能構成部（入力部、計算部及び出力部）を通信網１を介して相互接続された複数の情報通信装置（複数のクライアント端末２、中継サーバ３及び最適化計算装置５）に分散配置することにより、エネルギーシステム最適化システムの利便性を向上させると共に稼働効率をより向上させている。
【００４３】
エネルギー設備データベース４は、上記中継サーバ３と同様に最適化計算装置５を補助する通信機器であり、通信網１に接続されている。このエネルギー設備データベース４は、多数のエネルギー設備ａに関する属性情報を記憶する記憶装置を備えており、最適化計算装置５から受信する提供要求に応じて上記属性情報を最適化計算装置５に提供する。
【００４４】
ここで、上記属性情報は、上述した各種のエネルギー設備ａのうち、個々のエネルギー設備ａの特徴を定義するための情報であり、エネルギー設備ａに入力される入力資源、エネルギー設備ａから出力される出力資源を含む。また、この属性情報は、上記入力資源及び出力資源に関する特性値をも含む。
【００４５】
上記入力資源はエネルギー設備ａに入力される資源（リソース）であり、上記出力資源はエネルギー設備ａから出力される資源（リソース）である。また、上記特性値は、入力資源と出力資源との関係、つまり入力資源及び出力資源に関するエネルギー設備ａの特性（性能）を示す概念である。
【００４６】
すなわち、本実施形態では、入力資源（入力リソース）及び出力資源（出力リソース）並びに当該入力資源（入力リソース）と出力資源（出力リソース）との入出力特性を示す特性値を用いることにより、図３に示すように複数種類のエネルギー設備ａを個別に定義する。
【００４７】
なお、図３に示すように、入力資源（入力リソース）は、エネルギー設備ａで消費される消費資源と称することができる。また、出力資源（出力リソース）はエネルギー設備ａで生成される生成資源と称することができる。
なお、エネルギー設備ａは、資源（例えば電力）を貯蔵及び放出できる蓄電池等を含んでいるため、上記消費資源とは、エネルギー設備ａで消費または貯蔵される資源を示し、上記生成資源とは、エネルギー設備ａで生成または放出される資源を示す。
【００４８】
例えば、エネルギー設備ａの一例としてガスコージェネレーション設備ａ３を取り上げた場合、入力資源（入力リソース、消費資源）は都市ガス等の燃料ガスであり、出力資源（出力リソース、生成資源）は電力、熱及び二酸化炭素（ＣＯ２）となる。
【００４９】
最適化計算装置５は、上述した第２モジュールがインストールされることにより、上述した計算ステップを実行するコンピュータである。この最適化計算装置５は、風力発電設備ａ１、水電解設備ａ２、ガスコージェネレーション設備ａ３、太陽発電設設備ａ４及び蓄電設備ａ５を含むエネルギーシステムＡについて、所定の資源需要（出力資源に対する需要、すなわちエネルギーシステムＡに対する需要）を満足するシステム構成及び運転パターンのうち、システムコストが最小となる最適システム構成及び最適運転パターンを求める。
なお、本実施形態のシステム構成とは、エネルギー設備の導入要否や導入個数だけでなく、例えばエネルギー設備の定格出力や容量、効率等も含む。すなわち、求められた最適システム構成において、エネルギー設備の導入要否や導入個数、定格出力、容量、効率等が示されていてもよい。
【００５０】
より具体的には、最適化計算装置５は、エネルギーシステムＡに関する最適化問題、つまり所定の目的関数と制約条件とからなる数理計画問題を解くことにより、エネルギーシステムＡのシステムコストが最小となる最適システム構成及び最適運転パターンを求める。なお、本実施形態における最適化問題の詳細については、動作説明として後述する。
【００５１】
次に、本実施形態に係るエネルギーシステム最適化システムの動作について、図４に示すフローチャートに沿って説明する。
【００５２】
最初に、このエネルギーシステム最適化システムを利用するユーザとしては、事前登録によって本システムの利用権利を取得した者や、所定の利用料を支払うと共に所定の利用条件を満足した者が挙げられる。このようなユーザは、本システムを利用する場合、クライアント端末２を操作することによって中継サーバ３にアクセスし、クライアント端末２と中継サーバ３との間で必要情報を送受信することによって、自らが指定したエネルギーシステムに関する最適システム構成及び最適運転パターンをクライアント端末２に出力させる。
【００５３】
より具体的には、ユーザがクライアント端末２を操作することによって中継サーバ３に情報提供要求を送信すると、中継サーバ３は、エネルギーシステムＡを構成するエネルギー設備ａ及び計算条件をユーザに入力させる入力画面をクライアント端末２に表示させる。ユーザは、この入力画面に従ってエネルギー設備ａ及び計算条件を順次指定する（ステップＳ１）。
【００５４】
このステップＳ１では、中継サーバ３は、エネルギー設備ａのための指定画面をクライアント端末２に表示させる。この指定画面には、例えば図５Ａ及び５Ｂに示すようにエネルギー設備選択画面Ｇ１とエネルギー設備設定画面Ｇ２とがある。
【００５５】
エネルギー設備選択画面Ｇ１は、エネルギー設備データベース４に予め登録された多数のエネルギー設備ａの中からユーザが特定のエネルギー設備ａを選択指定する指定画面である。図５Ａの例では、エネルギー設備選択画面Ｇ１は、エネルギー設備ａの種類毎、つまりエネルギー発生設備（Renewable）、エネルギー変換設備（Converter）及びエネルギー貯蔵設備（Storage）毎に１あるいは複数のエネルギー設備ａを選択指定することができる。
【００５６】
中継サーバ３は、通信網１を介してエネルギー設備データベース４と通信を行うことにより、エネルギー設備データベース４に予め登録された多数のエネルギー設備ａを種類毎にエネルギー設備選択画面Ｇ１に表示させる。
【００５７】
なお、このような指定画面では、ユーザが選択したエネルギー設備ａの属性情報が変更自在である。すなわち、指定画面では、ユーザは自らが選択したエネルギー設備ａの属性情報の表示を中継サーバ３に要求することにより特性値を確認することができる。そして、ユーザは、指定画面上で特性値を編集することにより、編集後の特性値を備えるエネルギー設備ａをエネルギーシステムＡの構成要素として指定する。
【００５８】
一方、エネルギー設備設定画面Ｇ２は、エネルギー設備データベース４に予め登録されていない新たなエネルギー設備ａについて、エネルギー設備ａ毎に入力資源（消費資源）、出力資源（生成資源）及び特性値を指定する指定画面である。図５Ｂの例では、エネルギー設備設定画面Ｇ２は、個々のエネルギー設備ａについて、最大で３つの入力資源（消費資源）、出力資源（生成資源）及び特性値を入力設定することができるように構成されている。
【００５９】
また、ステップＳ１では、上記計算条件を設定画面を用いて入力する。この設定画面は、指定画面で指定されたエネルギーシステムＡに関する最適化問題（エネルギーシステム最適化問題）を解く上で必要な画面であり、図６に示す計算条件設定画面Ｇ３のように、最適化問題の目的関数及び制約条件並びに目的関数及び制約条件で使用される変数やパラメータの定義情報を入力する画面である。
【００６０】
なお、変数やパラメータの定義情報には、当然にエネルギーシステムＡに期待される資源需要に関する情報が含まれている。この資源需要は、所定期間（例えば１年間）及び当該所定期間における複数の単位期間（例えば１日）毎の出力資源（生成資源）の必要量としてクライアント端末２に入力される。
【００６１】
すなわち、ステップ１では、ユーザがクライアント端末２を用いて複数種類のエネルギー設備ａに関するエネルギーシステム最適化問題を解く上で必要な情報、つまりエネルギー設備ａの定義情報及び最適化問題の計算条件を通信網１を介して中継サーバ３に全て入力する。
【００６２】
中継サーバ３は、このようにしてエネルギー設備ａの定義情報及び最適化問題の計算条件が入力されると、当該エネルギー設備ａの定義情報及びエネルギーシステム最適化問題の計算条件を最適化計算装置５に送信することにより、エネルギーシステム最適化問題の計算指示を出力する。この計算指示が中継サーバ３から最適化計算装置５に入力されることによって、ステップ１は完了する。
【００６３】
最適化計算装置５は、上記計算指示に基づいてエネルギーシステム最適化問題を解く、つまりエネルギーシステムＡのシステムコストが最小となる最適システム構成及び最適運転パターンを求めるが、本実施形態では、例えば下式（２）〜（２９）及び表１〜５Ｂで示すように最適化問題を定義する。
【００６４】
すなわち、本実施形態では、式（２）〜（２９）に示すように、エネルギーシステム最適化問題を混合整数計画問題として定式化する。なお、式（２）〜（２９）は、エネルギー設備ａの構成を特定しない一般的なエネルギーシステムについて定式化した数式である。
【００６５】
【数２】
2020004454.tif 000004
subj.to
【数３】
2020004454.tif 000005
【数４】
2020004454.tif 000006
【数５】
2020004454.tif 000007
【数６】
2020004454.tif 000008
【数７】
2020004454.tif 000009
【数８】
2020004454.tif 000010
【数９】
2020004454.tif 000011
【数１０】
2020004454.tif 000012
【数１１】
2020004454.tif 000013
【数１２】
2020004454.tif 000014
【数１３】
2020004454.tif 000015
【数１４】
2020004454.tif 000016
【数１５】
2020004454.tif 000017
【数１６】
2020004454.tif 000018
【数１７】
2020004454.tif 000019
【数１８】
2020004454.tif 000020
【数１９】
2020004454.tif 000021
【数２０】
2020004454.tif 000022
【数２１】
2020004454.tif 000023
【数２２】
2020004454.tif 000024
【数２３】
2020004454.tif 000025
【数２４】
2020004454.tif 000026
where
【数２５】
2020004454.tif 000027
【数２６】
2020004454.tif 000028
【数２７】
2020004454.tif 000029
【数２８】
2020004454.tif 000030
【数２９】
2020004454.tif 000031
【００６６】
【表１】
2020004454.tif 000032
【００６７】
【表２】
2020004454.tif 000033
【００６８】
【表３】
2020004454.tif 000034
【００６９】
【表４】
2020004454.tif 000035
【００７０】
【表５Ａ】
2020004454.tif 000036
【００７１】
【表５Ｂ】
2020004454.tif 000037
【００７２】
ここで、上式（２）は、初期投資コスト及び年間における運用コストの合計を最小化する目的関数である。すなわち、本実施形態における目的関数（２）は、図７に示すように、エネルギーシステムＡのシステムコスト（総コスト）をイニシャルコスト（初期投資コスト）とランニングコスト（運用コスト）との総和として定義すると共に、ランニングコストをメンテナンスコストとリソースコストとの総和として定義している。
【００７３】
上式（３）〜（２９）は、最適化問題の制約条件を構成する条件式である。これら式（３）〜（２９）のうち、式（３）はエネルギー設備ａの出力が予め設定された上下限以内にあることを示し、式（４）はエネルギー設備ａの容量が予め設定された上下限以内にあることを示している。式（５）はエネルギー設備ａの導入数が予め設定された数以下であることを示している。
【００７４】
また、式（６）、（７）は、エネルギー変換設備（Converter）の運転出力が「０」か、あるいは予め設定された上下限以内にあることを示している。式（８）は、エネルギー貯蔵設備（Storage）の畜エネルギー出力が予め設定された上限以下であること、また式（９）は、エネルギー貯蔵設備（Storage）の放エネルギー出力が予め設定された上限以下であることを示している。また、式（１０）、（１１）は、エネルギー貯蔵設備（Storage）におけるエネルギー蓄積及びエネルギー放出が同時に行い得ないことを示している。
【００７５】
式（１２）は、エネルギー貯蔵設備（Storage）における蓄エネルギー残量が予め設定された上限以下であることを示し、式（１３）はエネルギー貯蔵設備（Storage）における蓄エネルギー残量が一日運転後に初期値に戻ることを示している。また、式（１４）は、各リソースのエネルギーシステムＡの外部への出力リソースは非負の値をとることを示し、式（１５）は、エネルギーシステムＡの外部から入力される入力リソースは非負の値をとることを示している。
【００７６】
式（１６）は、各リソースのエネルギーシステムＡの外部への出力の許容出力超過分は非負の値をとることを示し、式（１７）はエネルギーシステムＡの外部から入力される入力リソースの許容入力超過分は非負の値をとることを示している。また、式（１８）は、各リソースのエネルギーシステムＡの外部への出力が許容出力以上のとき、許容出力超過分は超過分に応じた非負の値をとることを示している。さらに、式（１９）は、各リソースのエネルギーシステムＡの外部への出力が許容出力以上のとき、システム外部入力は超過分に応じた非負の値をとることを示している。
【００７７】
式（２０）は、システム外部出力の最大値に対するコストは全時刻のなかで一番保守的な値とすることを示しており、式（２１）は、システム外部入力の最大値に対するコストは全時刻のなかで一番保守的な値とすることを示している。また、式（２２）は、各年の各時刻において各リソースの生成量、入力量、消費量、出力量及び需要のバランスが成立していることを示している。
【００７８】
すなわち、本実施形態における制約条件は、エネルギーシステムＡに入力される資源の入力量Ｕ、エネルギー設備ａが生成する資源の生成量Ｇ、エネルギー設備ａが消費する資源の消費量Ｓ、エネルギーシステムＡに対する資源の需要量Ｊ及びエネルギーシステムＡの外部への資源の出力量Ｏからなる以下のバランス式（３０）を含む。
なお、式（２２）の左辺第１項は、エネルギー変換設備が生成する資源の生成量（Ｇ）に相当する。式（２２）の左辺第２項は、エネルギー貯蔵設備が生成（放出）する資源の生成量（Ｇ）に相当する。式（２２）の左辺第３項は、エネルギー発生設備が生成する資源の生成量（Ｇ）に相当する。式（２２）の左辺第４項は、エネルギーシステムＡの外部から入力される資源の入力量（Ｕ）に相当する。式（２２）の右辺第１項は、エネルギー変換設備が消費する資源の消費量（Ｓ）に相当する。式（２２）の右辺第２項は、エネルギー貯蔵設備が消費（貯蔵）する資源の消費量（Ｓ）に相当する。式（２２）の右辺第３項は、エネルギー発生設備が消費する資源の消費量（Ｓ）に相当する。式（２２）の右辺第４項は、エネルギーシステムＡの外部への資源の出力量（Ｏ）に相当する。式（２２）の右辺第５項は、エネルギーシステムＡに対する資源の需要量（Ｊ）に相当する。
【００７９】
【数３０】
2020004454.tif 000038
【００８０】
上記バランス式（３０）の意味を図２のエネルギーシステムＡを用いて説明すると、例えば図８のようになる。なお、この図８では、便宜上エネルギーシステムＡを構成する５つのエネルギー設備ａのうち、風力発電設備ａ１（エネルギー発生設備：Renewable）、水電解設備ａ２（エネルギー変換設備：Converter）及びガスコージェネレーション設備ａ３（エネルギー変換設備：Converter）のみを示している。
【００８１】
すなわち、風力発電設備ａ１、水電解設備ａ２及びガスコージェネレーション設備ａ３について見ると、入力資源（消費資源）は、水電解設備ａ２が消費する電力及び水、またガスコージェネレーション設備ａ３が消費する燃料ガスである。
【００８２】
また、エネルギーシステムＡに対して需要者が供給を期待する資源需要が、風力発電設備ａ１及びガスコージェネレーション設備ａ３の出力資源（生成資源）である電力、水電解設備ａ２の出力資源（生成資源）である水素、またガスコージェネレーション設備ａ３の出力資源（生成資源）である熱の場合、ガスコージェネレーション設備ａ３の出力資源（生成資源）である二酸化炭素（ＣＯ２）は、需要先が存在しないので、外部に別途に出力される。
【００８３】
式（２２）、（３０）をエネルギーシステム最適化問題の制約条件とすることは、風力発電設備ａ１及びガスコージェネレーション設備ａ３の出力資源（生成資源）である電力を需要先に単に提供するだけではなく、図８に示すように水電解設備ａ２の入力資源（消費資源）としても活用し、また入力資源（消費資源）である電力の一部を出力資源（生成資源）として需要先に供給することを意味する。
【００８４】
式（２３）は、表３にＮｏ．３として示すパラメータが「０」あるいは「１」のいずれかの値をとることを示している。また、式（２４）は、表３にＮｏ．５として示すパラメータが「０」あるいは「１」のいずれかの値をとることを示している。
【００８５】
式（２５）は初期投資コストの定義式であり、式（２６）は運用コストの定義式である。また、式（２７）はメンテナンスコストの定義式であり、式（２８）はリソースの過不足によって生じるコストの定義式である。さらに、式（２９）は、エネルギー貯蔵設備（Storage）における蓄エネルギー残量の定義式である。
【００８６】
最適化計算装置５は、上述した式（２）〜（２９）及び表１〜５Ｂによって定式化されたエネルギーシステム最適化問題を解くことにより、エネルギーシステムＡに関する最適システム構成及び最適運転パターンを取得する。このような最適化計算装置５における最適システム構成及び最適運転パターンの取得処理は、本実施形態におけるステップＳ２の処理であり、本開示における計算ステップに相当する。
なお、この計算ステップでは、上記入力ステップで指定されたエネルギー設備の情報（例えば、エネルギー設備の種類（エネルギー発生設備、エネルギー変換設備、及びエネルギー貯蔵設備）、消費資源及び生成資源の種類並びに当該消費資源及び当該生成資源に関する特性値）を用いるが、この情報は、予め登録されたエネルギー設備を選択することと、新たなエネルギー設備の消費資源及び生成資源並びに当該消費資源及び当該生成資源に関する特性値を設定することと、の少なくともいずれか一方を入力ステップで行うことによって指定された、エネルギー設備の情報であってもよい。また、上記情報は、予め登録されたエネルギー設備の特性値を入力ステップで変更して得られた新たな特性値を含んでいてもよい。
【００８７】
すなわち、エネルギーシステム最適化問題を解くことにより初期投資コスト（イニシャルコスト）が得られるが、この初期投資コストは、エネルギーシステムを構成するエネルギー設備ａの構成情報つまり最適システム構成を含む。したがって、最適化計算装置５は、エネルギーシステム最適化問題を解くことにより、初期投資コスト（イニシャルコスト）の内訳情報として最適システム構成を取得する。
【００８８】
また、エネルギーシステム最適化問題を解くことにより初期投資コスト（イニシャルコスト）と同時に運用コスト（ランニングコスト）が得られるが、この運用コスト（ランニングコスト）は、所定期間（＝１年）かつ当該所定期間内における複数の単位期間（＝１日）における各エネルギー設備ａの最適運転パターンを含む。
【００８９】
最適化計算装置５は、このような最適システム構成及び最適運転パターンを中継サーバ３に送信する。そして、中継サーバ３は、クライアント端末２から先に受信した情報提供要求に対する回答情報として、最適システム構成及び最適運転パターンをクライアント端末２に送信する。
【００９０】
すなわち、中継サーバ３は、最適化計算装置５から最適システム構成及び最適運転パターンを受信すると、当該最適システム構成及び最適運転パターンをクライアント端末２が要求する出力形式に編集してクライアント端末２に送信する。この結果、クライアント端末２には最適システム構成及び最適運転パターンが出力される。
【００９１】
このように最適化計算装置５が最適システム構成及び最適運転パターンを中継サーバ３に送信し、当該最適システム構成及び最適運転パターンがクライアント端末２に出力されるまでの一連の処理は、本実施形態におけるステップＳ３の処理であり、本開示における出力ステップに相当する。なお、この出力ステップでは、上記入力ステップで指定されたエネルギー設備の情報（例えば、エネルギー設備の種類（エネルギー発生設備、エネルギー変換設備、エネルギー貯蔵設備）、消費資源及び生成資源の種類並びに当該消費資源及び当該生成資源に関する特性値）の少なくとも一部を出力してもよいが、この情報は、予め登録されたエネルギー設備を選択することと、新たなエネルギー設備の消費資源及び生成資源並びに当該消費資源及び当該生成資源に関する特性値を設定することと、の少なくともいずれか一方を入力ステップで行うことによって指定された、エネルギー設備の情報であってもよい。また、上記情報は、予め登録されたエネルギー設備の特性値を入力ステップで変更して得られた新たな特性値を含んでいてもよい。
【００９２】
ユーザは、クライアント端末２に出力された最適システム構成及び最適運転パターンを確認し、計算条件を変更した最適システム構成及び最適運転パターンの再取得を希望する場合には、当該再取得の要求（再計算要求）をクライアント端末２に入力する。そして、中継サーバ３は、上記再計算要求がクライアント端末２から入力されると、再計算要求に含まれる計算条件（再計算条件）を最適化計算装置５に送信することにより、最適システム構成及び最適運転パターンの再取得を行わせる。
【００９３】
すなわち、ユーザが再計算要求をクライアント端末２に入力すると、中継サーバ３が最適システム構成及び最適運転パターンの再計算を判断し（ステップＳ４）、この結果としてステップＳ１〜Ｓ３の処理が繰り返される。
【００９４】
ここで、先に受信した情報提供要求が最適システム構成及び最適運転パターンのいずれか一方の提供を要求していた場合、中継サーバ３は、情報提供要求に従って最適システム構成及び最適運転パターンのいずれか一方をクライアント端末２に送信する。すなわち、本実施形態に係るエネルギーシステム最適化システムは、ユーザの要求に応じて最適システム構成及び最適運転パターンの少なくともいずれか一方をユーザに対して出力する。
【００９５】
図９は、クライアント端末２に表示される最適システム構成の一例を示す模式図である。この図９では、ユーザがステップＳ１で指定した５つのエネルギー設備ａのうち、太陽光発電設備ａ４がグレーアウト表示されており、残りの４つのエネルギー設備ａ、つまり風力発電設備ａ１、水電解設備ａ２、ガスコージェネレーション設備ａ３及び蓄電設備ａ５について、資源需要を満足すると共にシステムコスト（総コスト）を最小化し得る定格出力及び定格容量が出力資源（生成資源）毎に表示される。
【００９６】
すなわち、入力ステップ（ステップＳ１）で指定された複数種類のエネルギー設備ａのうち、最適システム構成に含まれるエネルギー設備（エネルギー設備ａ、つまり風力発電設備ａ１、水電解設備ａ２、ガスコージェネレーション設備ａ３及び蓄電設備ａ５）と最適システム構成に含まれないエネルギー設備（太陽光発電設備ａ４）とは、出力ステップ（ステップＳ３）において異なる態様で表示（出力）される。
【００９７】
図９に示す最適システム構成では、ユーザが入力ステップ（ステップＳ１）で指定した５つのエネルギー設備ａのうち、太陽光発電設備ａ４を除く風力発電設備ａ１、水電解設備ａ２、ガスコージェネレーション設備ａ３及び蓄電設備ａ５によって資源需要を満足すると共にシステムコスト（総コスト）を最小化し得ることを示している。また、この図９の最適システム構成は、風力発電設備ａ１、水電解設備ａ２、ガスコージェネレーション設備ａ３及び蓄電設備ａ５に求められる設備性能つまり定格出力及び定格容量を示している。
【００９８】
また、図１０は、クライアント端末２に表示される最適運転パターン表示画面の一例を示す模式図である。この最適運転パターン表示画面は、上述した４つのエネルギー設備ａからなる最適システム構成について、資源需要を満足すると共にシステムコスト（総コスト）を最小化し得る各々のエネルギー設備ａの運転パターンを１年間（所定期間）に亘る個々の日（単位期間）の出力資源（生成資源）毎の出力として示す。
【００９９】
なお、この最適運転パターン表示画面では、最適システム構成おける１年間（所定期間）に亘る各種出力資源（生成資源）の時間変化のうち、ある１日（単位期間）における電力（出力資源）の時間変化を拡大して示している。また、この最適運転パターン表示画面では、電力（出力資源）に関する資源需要（電力需要）をプラスの値として示し、この資源需要（電力需要）に対する最適システム構成の電力出力をマイナスの値として示している。
【０１００】
さらに、この最適運転パターン表示画面では、電力（出力資源）の資源需要に対するシャドープライスを併せて表示している。このシャドープライスは、電力（出力資源）のコストに対する感度を示す量である。この最適運転パターン表示画面では、シャドープライスが１５時近辺で極端に大きな値となっているが、このことは１５時近辺の電力需要が１日の中で最大となることに起因している。
【０１０１】
このような本実施形態によれば、入力ステップ（ステップＳ１）で複数種類のエネルギー設備ａを指定することができるので、複数種類のエネルギー設備ａを含むエネルギーシステムＡを取扱うことが可能なエネルギーシステム最適化システムを提供することが可能である。
【０１０２】
また、本実施形態によれば、入力ステップ（ステップＳ１）において、エネルギー設備選択画面Ｇ１を用いてエネルギー設備ａを選択するので、またエネルギー設備設定画面Ｇ２を用いて入力資源、出力資源及び特性値を設定するので、複数種類のエネルギー設備ａの指定を容易かつ的確に行うことが可能である。  
【０１０３】
また、本実施形態によれば、エネルギー設備選択画面Ｇ１を用いて選択したエネルギー設備ａの特性値が変更自在なので、予め登録されたエネルギー設備ａをフレキシブルに活用することが可能である。また、本実施形態によれば、エネルギーシステム最適化問題を解くので、信頼性の高い最適システム構成及び最適運転パターンを取得することが可能である。
【０１０４】
また、本実施形態によれば、エネルギーシステム最適化問題の定式化において式（２２）に示すような資源（リソース）のバランス式を制約条件とするので、エネルギーシステムＡにおけるトータル的なシステムコストの最小化を実現することが可能である。
【０１０５】
また、本実施形態によれば、エネルギーシステムＡのシステムコスト（総コスト）をエネルギーシステムＡのイニシャルコスト（初期投資コスト）とランニングコスト（運用コスト）との総和と定義するので、初期投資コストあるいは運用コストのいずれか一方だけではなく両方の最小化を実現することができる。
【０１０６】
また、本実施形態によれば、ランニングコスト（運用コスト）をエネルギーシステムＡのメンテナンスコストと資源（リソース）に関するリソースコストの総和として定義するので、メンテナンスコストあるいはリソースコストのいずれか一方だけではなく両方の最小化を実現することができる。
【０１０７】
また、本実施形態によれば、出力ステップ（ステップＳ３）において、エネルギー設備ａの所定期間かつ単位期間について入力資源（入力リソース）及び出力資源（出力リソース）の時間変化を出力するので、ユーザは最適システム構成における各エネルギー設備ａの運転状況を的確に把握することができる。
【０１０８】
また、本実施形態によれば、出力ステップ（ステップＳ３）において入力ステップ（ステップＳ１）で指定された複数種類のエネルギー設備ａのうち、最適システム構成に含まれるエネルギー設備と最適システム構成に含まれないエネルギー設備とを異なる態様で出力する、つまり通常表示とグレーアウト表示という異なる表示態様で表示するので、最適システム構成に含まれるエネルギー設備と最適システム構成に含まれないエネルギー設備との識別が容易である。
【０１０９】
また、本実施形態によれば、出力ステップ（ステップＳ３）で資源需要に対するシャドープライスを出力するので、シャドープライスが最も高くなる資源需要を容易に把握することができる。
【０１１０】
さらに、本実施形態によれば、入力ステップ（ステップＳ１）において、３種類のエネルギー設備ａつまりエネルギー発生設備、エネルギー変換設備及びエネルギー貯蔵設備を指定するので、３種類のエネルギー設備ａを含むエネルギーシステムＡの最適システム構成及び最適運転パターンを取得することができる。
【０１１１】
なお、本開示は上記実施形態に限定されず、例えば以下のような変形が考えられる。
（１）上記実施形態では、５つのエネルギー設備ａ、つまり風力発電設備ａ１、水電解設備ａ２、ガスコージェネレーション設備ａ３、太陽光発電設備ａ４及び蓄電設備ａ５を備えるエネルギーシステムＡについて説明したが、本開示はこれに限定されない。エネルギーシステムＡが、上記５つのエネルギー設備ａ以外のエネルギー設備を備えていてもよいし、上記５つのエネルギー設備ａのうちのいずれかまたは全てを備えていなくてもよい。
【０１１２】
本開示は、例えばエネルギー発生設備（Renewable）、エネルギー変換設備（Converter）及びエネルギー貯蔵設備（Storage）のような複数種類のエネルギー設備ａの指定を可能とすることによって、最適システム構成及び最適運転パターンの少なくともいずれか一方を求めるに際して複数種類のエネルギー設備ａを同時に取扱うことを可能にすることを主旨とする。したがって、本開示において、実際に取扱うエネルギーシステムが備えるエネルギー設備ａの種類が複数でなくともよく、単一の種類であってもよい。
【０１１３】
また、本開示におけるエネルギー設備ａの種類は、上述したエネルギー発生設備（Renewable）、エネルギー変換設備（Converter）及びエネルギー貯蔵設備（Storage）に限定されない。例えば入力資源（消費資源）、出力資源（生成資源）及び特性値によって定義することが可能なエネルギー設備ａであれば、他の種類の設備であってもよい。
【０１１４】
（２）上記実施形態では、エネルギー設備データベース４及び最適化計算装置５を通信網１に直接接続したが、本開示はこれに限定されない。エネルギー設備データベース４及び最適化計算装置５は、基本的に中継サーバ３とのみ通信が行えれば機能するので、所定の専用通信線を用いて中継サーバ３とのみ接続してもよい。
【０１１５】
（３）上記実施形態では、図５Ａ及び５Ｂにエネルギー設備選択画面Ｇ１及びエネルギー設備設定画面Ｇ２の一例を示し、また図６に計算条件設定画面Ｇ３の一例を示したが、本開示はこれに限定されない。すなわち、本開示における複数種類のエネルギー設備の指定方法（指定画面）は、図５、図６に限定されず、他の指定方法であってもよい。
【０１１６】
（４）上記実施形態では、図９に最適システム構成図Ｇ４の一例を示し、また図１０に最適運転パターン表示画面Ｇ５の一例を示したが、本開示はこれに限定されない。すなわち、本開示における最適システム構成及び最適運転パターンの出力方法は、図９、図１０に限定されず、他の出力方法であってもよい。
【０１１７】
（５）上記実施形態では、エネルギーシステム最適化問題の定式化を式（２）〜（２９）のように行ったが、本開示はこれに限定されない。すなわち、本開示における目的関数は式（２）に限定されず、制約条件は式（３）〜（２９）に限定されない。
【０１１８】
例えば、上記実施形態では目的関数（総コスト）は、イニシャルコスト（初期投資コスト）とランニングコスト（運用コスト）との和として定義したが、本開示はこれに限定されない。必要に応じてイニシャルコスト（初期投資コスト）及びランニングコスト（運用コスト）のいずれか一方として目的関数（総コスト）を定義してもよい。
【０１１９】
また、上記実施形態では、ランニングコスト（運用コスト）をメンテナンスコストとリソースコストの和として定義したが、本開示はこれに限定されない。必要に応じてメンテナンスコスト及びリソースコストのいずれか一方をランニングコスト（運用コスト）としてもよい。
【０１２０】
また、本開示における制約条件は、式（２２）や式（３０）で示すような、エネルギーシステムＡに入力される資源（入力資源）の入力量Ｕ、エネルギー設備ａが生成する資源（生成資源）の生成量Ｇ、エネルギー設備ａが消費する資源（消費資源）の消費量Ｓ、エネルギーシステムＡに対する資源の需要量Ｊ及びエネルギーシステムＡの外部への資源（出力資源）の出力量Ｏからなるバランス式を含むが、このバランス式は必須ではない。式（２２）や式（３０）とは異なる条件式を制約条件として採用してもよい。
【０１２１】
（６）上記実施形態では、最適化計算装置５（または計算ステップ、計算工程）によって、エネルギーシステムＡのシステムコストが最小となる最適システム構成及び最適運転パターンの少なくともいずれか一方を求めているが、本開示はこれに限定されない。所定の需要を満足するエネルギーシステムＡのシステム構成及び運転パターンの少なくともいずれか一方のうち、所定の指標が最小となる最適システム構成及び最適運転パターンの少なくともいずれか一方を求めてもよい。この指標としては、例えば、エネルギーシステムＡからのＣＯ２排出量や排熱量、エネルギーシステムＡのシステムコスト等が挙げられる。
【０１２２】
（７）上記実施形態における目的関数は、エネルギーシステムＡのシステムコスト（総コスト）をイニシャルコスト（初期投資コスト）とランニングコスト（運用コスト）との総和として定義すると共に、ランニングコストをメンテナンスコストとリソースコストとの総和として定義しているが、本開示はこれに限定されない。本開示の目的関数が、エネルギーシステムＡのシステムコストをイニシャルコストとランニングコストとの重み付け和として定義してもよいし、ランニングコストをメンテナンスコストとリソースコストとの重み付け和として定義してもよい。なお、一方の重みが零となってもよい。例えば、イニシャルコストとランニングコストの一方の重みを零とした場合は、他方のコストがシステムコストとして使用され、メンテナンスコストとリソースコストの一方の重みを零とした場合は、他方のコストがランニングコストとして使用される。
【０１２３】
（８）上記実施形態における目的関数は、リソースコストを、エネルギーシステムＡに入力される入力資源として定義しているが、本開示はこれに限定されない。エネルギーシステムＡから出力される出力資源の量によってもコストの増減に繋がるため（例えば処理費用の増加、ＣＯ２排出枠の購入等）、目的関数が、エネルギーシステムＡから出力される出力資源をリソースコストとして定義してもよいし、エネルギーシステムＡに入力される入力資源とエネルギーシステムＡから出力される出力資源との重み付け和をリソースコストとして定義してもよい。
【０１２４】
また、本開示は、上記態様の他に以下の態様も含む。
本開示の第１５態様に係る非一時的コンピュータ読み取り可能な記録媒体は、コンピュータに所定のステップの処理を行わせるエネルギーシステム最適化プログラムを記憶し、前記ステップは、エネルギーシステムを構成する複数種類のエネルギー設備を指定する入力ステップと、所定の需要を満足する前記エネルギーシステムのシステム構成及び運転パターンの少なくともいずれか一方のうち、所定の指標が最小となる最適システム構成及び最適運転パターンの少なくともいずれか一方を求める計算ステップと、前記最適システム構成及び前記最適運転パターンの少なくとも前記一方を出力する出力ステップとを有する。
【０１２５】
本開示の第１６態様に係るエネルギーシステム最適化装置は、指示を記憶する少なくとも１つのメモリと、前記指示を実行することで、エネルギーシステムを構成する複数種類のエネルギー設備を指定することと、所定の需要を満足する前記エネルギーシステムのシステム構成及び運転パターンの少なくともいずれか一方のうち、所定の指標が最小となる最適システム構成及び最適運転パターンの少なくともいずれか一方を求めることと、前記最適システム構成及び前記最適運転パターンの少なくとも前記一方を出力することと、を実行するように構成された少なくとも１つのプロセッサとを備える。
【０１２６】
本開示の第１７態様に係る記録媒体は、コンピュータに所定のステップの処理を行わせるエネルギーシステム最適化プログラムを記憶し、前記ステップは、エネルギーシステムを構成する複数種類のエネルギー設備を指定する入力ステップと、所定の需要を満足する前記エネルギーシステムのシステム構成及び運転パターンの少なくともいずれか一方のうち、所定の指標が最小となる最適システム構成及び最適運転パターンの少なくともいずれか一方を求める計算ステップと、前記最適システム構成及び前記最適運転パターンの少なくとも前記一方を出力する出力ステップとを有する。
【産業上の利用可能性】
【０１２７】
本開示によれば、複数種類のエネルギー設備を含むエネルギーシステムを取扱うことが可能なエネルギーシステム最適化技術を提供することができる。
【符号の説明】
【０１２８】
１  通信網
２  クライアント端末
３  中継サーバ
４  エネルギー設備データベース
５  最適化計算装置
Ａ  エネルギーシステム
ａ  エネルギー設備
ａ１  風力発電設備
ａ２  水電解設備
ａ３  ガスコージェネレーション設備
ａ４  太陽光発電設備
ａ５  蓄電設備
Ｇ１  エネルギー設備選択画面
Ｇ２  エネルギー設備設定画面
Ｇ３  計算条件設定画面
Ｇ４  最適システム構成図
Ｇ５  最適運転パターン表示画面
【図１】
2020004454.tif 000040
【図２】
2020004454.tif 000041
【図３】
2020004454.tif 000042
【図４】
2020004454.tif 000043
【図５Ａ】
2020004454.tif 000044
【図５Ｂ】
2020004454.tif 000045
【図６】
2020004454.tif 000046
【図７】
2020004454.tif 000047
【図８】
2020004454.tif 000048
【図９】
2020004454.tif 000049
【図１０】
2020004454.tif 000050
【国際調査報告】
2020004454.tif 000051
2020004454.tif 000052
2020004454.tif 000053
2020004454.tif 000054